(57)【要約】【課題】展示室内の清浄化された空気を利用することによって、簡単な設備で、展示物の展示空間内における空気質を良好にすることができ、もって、製造コストおよび維持費の高騰等の問題を解決しうるようにした展示ケースを提供する。【解決手段】床面に載置される基台２０と、基台２０上に設けられ、外周部の少なくとも一部が透明材料により形成され、かつ基台２０上に配設された展示物２２を密閉状態で囲むケース本体２３と、ケース本体２３の展示空間Ｓ１と室内空間Ｓ０とを連通する通気路２４と、通気路２４に設けられ、ケース本体２３の展示空間Ｓ１の空気を室内空間Ｓ０へ、および／または室内空間Ｓ０の空気を展示空間Ｓ１へ送給する送風機２５と、通気路２４に設けられ、この通気路２４を開閉する開閉弁２６、２７とを備えるものとする。【選択図】  図１
2016129567.tif 000002
【特許請求の範囲】
【請求項１】
展示室の床面に載置される基台と、
前記基台上に設けられ、外周部の少なくとも一部が透明材料により形成され、かつ基台上に配設された展示物を密閉状態で囲むケース本体と、
前記ケース本体内に形成された密閉された展示空間と展示室の室内空間とを連通する通気路と、
前記通気路に設けられ、前記ケース本体の展示空間の空気を室内空間へ、および／または室内空間の空気を前記展示空間へ送給する送風機と、
前記通気路に設けられ、この通気路を開閉する開閉弁
とを備えることを特徴とする展示ケース。
【請求項２】
通気路が、ケース本体の展示空間の空気を室内空間へ排出する排気路と、室内空間の空気を前記展示空間へ供給する給気路とを備えており、前記排気路と給気路とのそれぞれに開閉弁を設け、かつ前記排気路と給気路との少なくともいずれか一方に送風機を設けた請求項１記載の展示ケース。
【請求項３】
排気路の排気口と、給気路の吸気口とを、互いに離間させて配設した請求項２記載の展示ケース。
【請求項４】
排気路の排気口を基台内に配設し、排気路からの排気を、基台内を通して、基台の下端開口部または基台の側面に設けた排気口より排出するようにした請求項２または３記載の展示ケース。
【請求項５】
少なくとも給気路の途中に、空気清浄手段を設けた請求項２〜４のいずれかに記載の展示ケース。
【請求項６】
通気路が、ケース本体内の空気を吸い込んで、ケース本体内に戻す循環路を備えており、この循環路に、送風機とフィルタとを設けた請求項１〜５のいずれかに記載の展示ケース。
【発明の詳細な説明】
【技術分野】
【０００１】
本発明は、美術館、博物館、文化財保存館等において、展示物を、空気質の良好な環境において長期間保存・展示しうるようにした展示ケースに関する。
【背景技術】
【０００２】
従来のこの種の展示ケースとしては、展示物を収容した収容空間を、透明なガラス板等をもって囲んで密閉し、この収容空間内の空気を、ファンやフィルタを有する空気清浄手段を備える循環路を通して循環させるようにしたものが一般的である(例えば特許文献１参照)。
【０００３】
上記のような循環路を、伸縮可能なものとしたり、この循環路に調湿手段を設けたりしたものや(例えば特許文献２参照)、収容空間に窒素ガスを供給しうるようにしたもの(例えば特許文献３参照)等もある。
【先行技術文献】
【特許文献】
【０００４】
【特許文献１】特許第２９０２３５９号公報
【特許文献２】特許第３８８２４７３号公報
【特許文献３】特開２００４−８１３０６号公報
【発明の概要】
【発明が解決しようとする課題】
【０００５】
上述のような従来の展示ケースにおいては、収容空間内の空気を繰り返し循環させているので、収容空間内に汚染源がある場合、収容空間と循環路全体が高濃度で汚染され、高価な化学フィルタを用いても、展示ケースに収容できる化学フィルタの容量が限られているため、汚染を十分に除去できないことがある。
このような汚染源の多くは、収容空間内における展示台の内装材や気密性を確保するためのコーキング材等からの放散ガスであり、展示が始まってからもこのような放散ガスが発生することがある。
問題となる放散ガスとしては、アルデヒド(ホルムアルデヒド、アセトアルデヒド)、有機酸(酢酸、ギ酸)、アンモニア等がある。
【０００６】
そのため、新しく制作する展示ケースに関しては、展示物を収容しない状態で、収容空間を開放し、かつ扉を開いて、これらの内装材等からの放散ガスが出尽くすのを待って、すなわち「枯らして」から使用するのが好ましいが、このような「枯らし」に要する時間を確保できない場合が多い。
【０００７】
また、上述のような従来の展示ケースにおいては、量産が難しく、高価な素材を使用することが多いので、製造コストが高くつくだけでなく、高価な化学フィルタや防塵フィルタを頻繁に交換しなければならず、維持費も高騰する等の問題がある。
【０００８】
その反面、展示ケースを配設している美術館や博物館等の展示室の空調設備は近年著しく進化し、温湿度調節だけでなく、化学フィルタを備えたものもあり、開館中は、見学者のため、展示室内の空気質は悪化するが、閉館中、特に次の開館前の時間帯には、展示室内の空気はきわめて清浄化されている。
【０００９】
本発明は、このような展示室内の清浄化された空気に着目し、これを利用することによって、簡単な設備で、展示物の展示空間内における空気質を良好にすることができ、もって、従来の技術が有する上記のような製造コストおよび維持費の高騰等の問題を解決しうるようにした展示ケースを提供することを目的としている。
【課題を解決するための手段】
【００１０】
本発明によると、上記課題は、次のようにして解決される。
（１）展示室の床面に載置される基台と、前記基台上に設けられ、外周部の少なくとも一部が透明材料により形成され、かつ基台上に配設された展示物を密閉状態で囲むケース本体と、前記ケース本体内に形成された密閉された展示空間と展示室の室内空間とを連通する通気路と、前記通気路に設けられ、前記ケース本体の展示空間の空気を室内空間へ、および／または室内空間の空気を前記展示空間へ送給する送風機と、前記通気路に設けられ、この通気路を開閉する開閉弁とを備えるものとする。
【００１１】
このような構成によると、展示ケースが配設された展示室内に見学者が訪れ、展示ケース内の展示物等を見学する際には、展示ケースにおける開閉弁を閉じ、かつ送風機を停止しておくことにより、見学者の通行等により空気質が悪化した展示室内の空気が展示ケースのケース本体内に進入して、展示物に悪影響を及ぼすのを防止することができる。
展示室内に見学者等が訪れることがない夜間や休館日等においては、展示室内の空気は、空調装置により浄化され、その空気質は良好なものとなる。このような展示室の不使用時、特に展示室が不使用になってからある程度の時間が経過した後に、展示ケースにおける開閉弁を開き、かつ送風機を作動させることにより、ケース本体の展示空間の空気は、清浄化された室内空間の空気と換気される。
それによって、ケース本体が密閉されていた期間にケース本体内の内装材やコーキング材等の汚染源から発生した微量の放散ガス等もケース本体外に排出され、ケース本体内は、展示室内の清浄化された空気により充填されるとともに、換気期間中に発生した放散ガスも即座に排出される。
したがって、展示ケース自体には、高価な空気浄化装置を設けることなく、簡単な換気装置を設けるだけで、展示物を収容したままでも、ケース本体内の空気質を良好にすることができるとともに、温度および湿度の維持を図ることができ、もって、従来の技術が有する上記のような製造コストおよび維持費の高騰等の問題を解決することができる。また、展示物を収容したままでも、枯らしを促進することができる。
【００１２】
（２）上記(１)項において、通気路が、ケース本体の展示空間の空気を室内空間へ排出する排気路と、室内空間の空気を前記展示空間へ供給する給気路とを備えており、前記排気路と給気路とのそれぞれに開閉弁を設け、かつ前記排気路と給気路との少なくともいずれか一方に送風機を設ける。
【００１３】
このような構成によると、ケース本体内の換気時以外のときは、ケース本体内を確実に密閉することができるとともに、換気時には、ケース本体内の空気を円滑に換気することができる。
【００１４】
（３）上記(２)項において、排気路の排気口と、給気路の吸気口とを、互いに離間させて配設する。
【００１５】
このような構成によると、排気路の排気口から排出されたケース本体内の空気が、給気路の吸気口から吸入されるのを防止することができる。
【００１６】
（４）上記(２)または(３)項において、排気路の排気口を基台内に配設し、排気路からの排気を、基台内を通して、基台の下端開口部または基台の側面に設けた排気口より排出するようにする。
【００１７】
このような構成によると、排気路の排気口から排出されたケース本体内の空気は、一旦基台内に導入され、基台内が膨張室または緩衝室となって、展示室内に静かに、緩速で排出されるので、騒音の発生を防止することができるとともに、排気路の排気口から排出されたケース本体内の空気が、給気路の吸気口から吸入されるのを防止することができる。
【００１８】
（５）上記(２)〜(４)項のいずれかにおいて、少なくとも給気路の途中に、空気清浄手段を設ける。
【００１９】
このような構成によると、ケース本体の展示空間へ供給される空気を、空気清浄手段によってさらに浄化することができる。
【００２０】
（６）上記(１)〜(５)項のいずれかにおいて、通気路が、ケース本体内の空気を吸い込んで、ケース本体内に戻す循環路を備えており、この循環路に、送風機と空気清浄手段とを設ける。
【００２１】
このような構成によると、展示室内に見学者が訪れ、展示ケース内の展示物等を見学している際にも、ケース本体の展示空間を換気できない代わりに、循環路を介して、ケース本体の展示空間内の空気を循環させつつ、空気清浄手段により、ケース本体内における汚染源から発生した微量の放散ガス等を吸着させ、ケース本体内の浄化を図ることができる。
【発明の効果】
【００２２】
本発明によると、展示室内の清浄化された空気を利用することによって、簡単な設備で、展示物の展示空間内における空気質を良好にすることができ、もって、従来の技術が有する上記のような製造コストおよび維持費の高騰等の問題を解決しうるようにした展示ケースを提供することができる。
【図面の簡単な説明】
【００２３】
【図１】本発明の展示ケースの第１の実施形態と第２の実施形態とを配設した展示室を模式的に示す概略縦断正面図である。
【図２】本発明の展示ケースの第３の実施形態を模式的に示す概略縦断正面図である。
【図３】本発明の展示ケースの第４の実施形態を模式的に示す概略縦断正面図である。
【発明を実施するための形態】
【００２４】
以下、本発明の展示ケースの実施形態を、図面を参照して説明する。
図１は、本発明の展示ケースの第１の実施形態である行灯型の展示ケース１と、同じく第２の実施形態である壁面型の展示ケース２とを配設した展示室３を模式的に示す概略縦断正面図である。
図１に示すように、この展示室３は、空調装置４を備えている。
空調装置４は、展示室３が設けられた建造物の既存のものを使用することができるが、ここでは、本体５と、一端が本体５に接続され、かつ還気ファン６ａを介して、他端が展示室３の天井と側壁下部とに開口する還気ダクト６と、一端が本体５に接続され、かつ他端が展示室３の天井に開口する給気ダクト７と、一端が本体５に接続され、かつ他端が、外気導入管８および排気管９とを介して屋外に開口し、還気ダクト６から本体５を通って給気ダクト７に至る循環路１０内を流れる空気、または本体５に取入れられる外気を、熱媒体(図示略)と熱交換することにより、暖房または冷房する全熱交換器１１とを備えるものとしてある。
還気ダクト６の展示室３側の開口部と、給気ダクト７の展示室３側の開口部とは、ショートサーキットが形成されないように、互いに離間するようにして設けられている。
【００２５】
本体５には、循環路１０内を流れる空気を清浄化する空気清浄手段１２と、循環路１０に沿って空気を送給する送風機１３とが設けられている。
【００２６】
空気清浄手段１２は、目の粗い防塵フィルタとしたプレフィルタ１４と、化学フィルタ１５と、目の細かい防塵フィルタ等とした中性能フィルタ１６とを備えている。
【００２７】
この空調装置４により、展示室３内は、常時適温に温度制御(その温度制御手段については、図示および詳細な説明は省略する)されるとともに、清浄化されている。また、空調装置４には、湿度調整手段(図示略)を設けることもある。
【００２８】
展示ケース１は、展示室３内の床面３ａに載置された基台２０と、基台２０上に設けられ、外周部の少なくとも一部が透明材料により形成され、かつ基台２０の上面によって形成した展示台２１上に配設した展示物２２を密閉状態で囲むケース本体２３と、ケース本体２３の展示空間Ｓ１と展示室３の室内空間Ｓ０とを連通する通気路２４と、通気路２４に設けられ、ケース本体２３の展示空間Ｓ１の空気を展示室３の室内空間Ｓ０へ、および／または室内空間Ｓ０の空気を展示空間Ｓ１へ送給する送風機２５と、通気路２４に設けられ、この通気路２４を開閉するダンパ形の開閉弁２６、２７とを備えている。
【００２９】
ケース本体２３は、４側面を透明ガラスにより形成し、かつ天板に照明器具(図示略)を配設したものとしてあるが、それらの構成は本発明に直接関係しないので、詳細な説明は省略する。
【００３０】
通気路２４は、第１の実施形態においては、ケース本体２３の展示空間Ｓ１の空気を室内空間Ｓ０へ排出する排気路２８と、室内空間Ｓ０の空気を展示空間Ｓ１へ供給する給気路２９とを備えており、排気路２８には開閉弁２６が、また給気路２９には、開閉弁２７と、送風機２５と、空気清浄手段３０とが設けられている。
空気清浄手段３０は、具体的には、化学フィルタおよび／または防塵フィルタとするのが好ましい。
【００３１】
排気路２８および給気路２９、並びにそれらに設けられた開閉弁２６、２７、送風機２５、空気清浄手段３０は、いずれも基台２０内に配設され、給気路２９の吸気口２９ａは、基台２０の一側面より展示室３の室内空間Ｓ０に開口している。
【００３２】
排気路２８の排気口２８ａは、基台２０の内部に開口するように配設され、排気路２８からの排気を、基台２０内を通して、基台２０の下端開口部より排出するようになっている。なお、基台２０における吸気口２９ａが設けられた側面と背向する側面に排気口(図示略)を設け、ここから排気路２８からの排気を、基台２０内を通して、排出するようにすることもある。
なお、排気路２８の排気口２８ａと、給気路２９の吸気口２９ａとは、互いに離間させて配設するのがよく、また、複数の展示ケース１を床面３ａに並設する際には、一方の展示ケース１の排気口２８ａが他方の展示ケース１の吸気口２９ａと対向したり、近接したりしないように配置するのが好ましい。
【００３３】
この展示ケース１によると、展示室３内に見学者が訪れ、展示ケース１内の展示物２２等を見学する際には、両開閉弁２６、２７を閉じ、かつ送風機２５を停止しておくことにより、見学者の通行等により空気質が悪化した展示室３内の空気がケース本体２３内に進入して、展示物２２に悪影響を及ぼすのを防止することができるとともに、温度および湿度を、初期の状態に維持することができる。
【００３４】
展示室３内に見学者等が訪れることがない夜間や休館日等においては、展示室３内の空気は、空調装置４により浄化され、その空気質は良好なものとなる。このような展示室３の不使用時、特に展示室３が不使用になってからある程度の時間が経過した後に、展示ケース１における開閉弁２６、２７を開き、かつ送風機２５を作動させることにより、ケース本体２３の展示空間Ｓ１の空気は、清浄化された室内空間Ｓ０の空気と換気される。
【００３５】
それによって、ケース本体２３が密閉されていた期間にケース本体２３内の内装材やコーキング材等の汚染源から発生した微量の放散ガス等もケース本体２３外に排出され、ケース本体２３内は、展示室３内の清浄化された空気により充填されるとともに、換気期間中に発生した放散ガスも即座に排出される。
【００３６】
したがって、展示ケース１自体には、高価な空気浄化装置を設けることなく、簡単な換気装置を設けるだけで、展示物２２を収容したケース本体２３内の空気質を良好にすることができ、もって、製造コストおよび維持費の高騰等の問題を解決することができる。
【００３７】
なお、夜間や休館日等において、空調装置４の作動を停止する施設においては、開館前に、空調装置４の作動を開始し、ある程度の時間が経過した後に、展示ケース１における開閉弁２６、２７を開き、かつ送風機２５を作動させることにより、ケース本体２３の展示空間Ｓ１の空気を、清浄化された室内空間Ｓ０の空気と換気するようにするのがよい。
【００３８】
展示ケース２は、展示室３内の壁面３ｂに沿うようにして、床面３ａに載置される基台４０と、基台４０上に設けられ、外周部の少なくとも一部が透明材料により形成され、かつ基台４０の上面に載置した展示台４１上に配設した展示物４２を密閉状態で囲むケース本体４３と、ケース本体４３の展示空間Ｓ２と室内空間Ｓ０とを連通する通気路４４と、通気路４４に設けられ、ケース本体４３の展示空間Ｓ２の空気を展示室３の室内空間Ｓ０へ、および／または室内空間Ｓ０の空気を展示空間Ｓ２へ送給する送風機４５と、通気路４４に設けられ、この通気路４４を開閉するダンパ形の開閉弁４６、４７とを備えている。
【００３９】
ケース本体４３は、展示室３の内方を向く面の上下方向の中間部のみが透明ガラスにより形成され、他は、不透明材料により形成され、かつ上部に照明器具(図示略)が配設されている。
【００４０】
通気路４４は、基台４０の上面と基台４０の内側面とに開口するように基台４０内に設けられ、かつケース本体４３の展示空間Ｓ２の空気を室内空間Ｓ０へ排出する排気路４８と、ケース本体４３の上部の天井面と不透明部分の内側面とに開口するようにして不透明部分内に配設され、かつ室内空間Ｓ０の空気を展示空間Ｓ２へ供給する給気路４９とを備えており、排気路４８には開閉弁４６が、また給気路４９には、開閉弁４７と、送風機４５と、具体的にはフィルタとした空気清浄手段５０とが設けられている。４８ａは、基台４０の側面に設けられた排気路４８の排気口、４９ａは、ケース本体４３の天井部の側面に設けられた給気路４９の吸気口である。
【００４１】
基台４０の上面における奥部に設けた凹所５１には、調湿剤５２が設けられている。
【００４２】
展示ケース２においても、  展示ケース１におけるのと同様に、展示室３内に見学者が訪れ、展示ケース２内の展示物４２等を見学する際には、両開閉弁４６、４７を閉じ、かつ送風機４５を停止しておくことにより、見学者の通行等により空気質が悪化した展示室３内の空気がケース本体４３内に進入して、展示物４２に悪影響を及ぼすのを防止することができるとともに、温度および湿度を、初期の状態に維持することができる。
【００４３】
展示室３内に見学者等が訪れることがない展示室３の不使用時、特に展示室３が不使用になってからある程度の時間が経過した後に、展示ケース２における開閉弁４６、４７を開き、かつ送風機４５を作動させることにより、ケース本体４３の展示空間Ｓ２の空気は、清浄化された室内空間Ｓ０の空気と換気される。
【００４４】
それによって、ケース本体４３が密閉されていた期間にケース本体４３内の内装材やコーキング材等の汚染源から発生した微量の放散ガス等もケース本体４３外に排出され、ケース本体４３内は、展示室３内の清浄化された空気により充填されるとともに、換気期間中に発生した放散ガスも即座に排出される。
【００４５】
したがって、展示ケース２自体には、高価な空気浄化装置を設けることなく、簡単な換気装置を設けるだけで、展示物４２を収容したケース本体４３内の空気質を良好にすることができ、もって、製造コストおよび維持費の高騰等の問題を解決することができる。
【００４６】
図２は、本発明の展示ケースの第３の実施形態を示す。
この行灯型の展示ケース５９は、第１の実施形態である展示ケース１における基台２０、展示台２１、展示物２２、ケース本体２３、通気路２４、送風機２５、開閉弁２６、２７、排気口２８ａを備える排気路２８、吸気口２９ａを備える給気路２９、空気清浄手段３０に相当する、基台６０、展示台６１、展示物６２、ケース本体６３、通気路６４、送風機６５、開閉弁６６、６７、排気口６８ａを備える排気路６８、吸気口６９ａを備える給気路６９、空気清浄手段７０を備えている。
【００４７】
しかし、展示ケース５９においては、展示ケース１におけるのと異なり、排気路６８と給気路６９との中間部同士を連通するバイパス路７１を設けることにより、ケース本体６３の展示空間Ｓ３−排気路６８−バイパス路７１−給気路６９−展示空間Ｓ３からなり、ケース本体６３の展示空間Ｓ３の空気を吸い込んで、展示空間Ｓ３内に戻す循環路７２が形成され、上記バイパス路７１に、ダンパ形の第３の開閉弁７３が設けられている。
【００４８】
また、送風機６５は、排気路６８における展示空間Ｓ３側の端部とバイパス路７１との間に設けられ、かつ空気清浄手段７０は、給気路６９におけるバイパス路７１と展示空間Ｓ３側の端部との間に設けられている。
さらに、給気路６９におけるバイパス路７１と展示空間Ｓ３側の端部との間に、調湿剤７４が配設されている。
【００４９】
この展示ケース５９によると、展示ケース１におけるのと同様の作用および効果を奏することができるほかに、展示室３内に見学者が訪れ、展示ケース５９内の展示物６２等を見学している際に、開閉弁６６、６７を閉じ、開閉弁７３を開き、かつ送風機６５を作動させることにより、ケース本体６３の展示空間Ｓ３を換気しない代わりに、循環路７２を介して、ケース本体６３の展示空間Ｓ３内の空気を循環させ、空気清浄手段７０により、ケース本体６３内における汚染源から発生した微量の放散ガス等を吸着させて、ケース本体６３内の浄化を図ることができる。
【００５０】
図３は、本発明の展示ケースの第４の実施形態を示す。
この展示ケース７９は、第３の実施形態である行灯型の展示ケース５９における内部構成を、第２の実施形態である展示ケース２のような壁面型の展示ケースに適用したものである。
【００５１】
すなわち、この展示ケース７９は、基台８０およびケース本体８３は、壁面型の展示ケース２における基台４０およびケース本体４３とほぼ同様の構成としてあり、基台８０上に設けた展示台８１上に展示物８２を載置して展示するようになっている。
【００５２】
基台８０内には、行灯型の展示ケース５９における通気路６４、送風機６５、開閉弁６６、６７、排気口６８ａを備える排気路６８、吸気口６９ａを備える給気路６９、空気清浄手段７０、バイパス路７１、循環路７２、開閉弁７３、調湿剤７４に相当する通気路８４、送風機８５、開閉弁８６、８７、排気口８８ａを備える排気路８８、吸気口８９ａを備える給気路８９、空気清浄手段９０、バイパス路９１、循環路９２、開閉弁９３、調湿剤９４を備えている。
【００５３】
展示ケース７９において、展示ケース５９における構成と相違する点は、給気路８９の吸気口８９ａを、基台８０における展示室３の内方を向く側面に開口するように設け、給気路８９を、開閉弁８７および空気清浄手段９０を通過した後、ケース本体８３の背面壁８３ａに沿って立ち上げ、ケース本体８３の天井面より下向きに開口するようにした点、および排気路８８の排気口８８ａを、ケース本体８３の下端に開口させた点のみである。
【００５４】
この展示ケース７９によると、展示ケース５９におけるのと同様の作用および効果を奏することができる。
すなわち、展示室３内に見学者が訪れ、展示ケース７９内の展示物８２等を見学している際に、開閉弁８６、８７を閉じ、開閉弁９３を開き、かつ送風機８５を作動させることにより、ケース本体８３の展示空間Ｓ４を換気しない代わりに、循環路９２を介して、ケース本体８の展示空間Ｓ４内の空気を循環させ、空気清浄手段９０により、ケース本体８３内における汚染源から発生した微量の放散ガス等を吸着させて、ケース本体８３内の浄化を図ることができる。
【００５５】
本発明の展示ケースの第１〜第４の実施形態において、各排気路２８、４８、６８、８８、および給気路２９、４９、６９、８９のそれぞれの開口端部には、ルーバ等の整流手段が設けられているが、説明を簡略化するため、それらのルーバ等については、符号を付すことなく、各図において模式的に示すだけとしてある。
【００５６】
本発明は、上記実施形態のみに限定されるものではなく、特許請求の範囲を逸脱することなく、例えば、次のような変形した態様での実施が可能である。
(１)  空気清浄手段３０、５０を省略して実施する。
(２)  排気路２８の排気口２８ａを、基台２０における吸気口２９ａが設けられた側面と背向する側面に開口するように設ける。
(３)  図１に示す展示ケース２における給気路４９およびその給気口４９ａを、基台４０内およびその側面または基台４０と床面３ａとの間に開口するように設ける。
(４)  図３に示す給気路８９を、図２に示す給気路６９のように、基台８０の上面に開口させて、展示空間Ｓ４に連通させる。
【符号の説明】
【００５７】
Ｓ０室内空間
Ｓ１、Ｓ２、Ｓ３、Ｓ４  展示空間
１、２  展示ケース
３  展示室
３ａ床面
３ｂ壁面
４  空調装置
５  本体
６  還気ダクト
７  給気ダクト
８  外気導入管
９  排気管
１０  循環路
１１  熱交換器
１２  空気清浄手段
１３  送風機
１４  プレフィルタ
１５  中性能フィルタ
１６  化学フィルタ
２０  基台
２１  展示台
２２  展示物
２３  ケース本体
２４  通気路
２５  送風機
２６、２７  開閉弁
２８  排気路
２８ａ排気口
２９  給気路
２９ａ吸気口
３０  空気清浄手段
４０  基台
４１  展示台
４２  展示物
４３  ケース本体
４４  通気路
４５  送風機
４６、４７  開閉弁
４８  排気路
４８ａ排気口
４９  給気路
４９ａ吸気口
５０  空気清浄手段
５１  凹所
５２  調湿剤
５９  展示ケース
６０  基台
６１  展示台
６２  展示物
６３  ケース本体
６４  通気路
６５  送風機
６６、６７  開閉弁
６８  排気路
６８ａ排気口
６９  給気路
６９ａ吸気口
７０  空気清浄手段
７１  バイパス路
７２  循環路
７３  開閉弁
７４  調湿剤
７９  展示ケース
８０  基台
８１  展示台
８２  展示物
８３  ケース本体
８３ａ背面壁
８４  通気路
８５  送風機
８６、８７  開閉弁
８８  排気路
８８ａ排気口
８９  給気路
８９ａ吸気口
９０  空気清浄手段
９１  バイパス路
９２  循環路
９３  開閉弁
９４  調湿剤
【図１】
2016129567.tif 000003
【図２】
2016129567.tif 000004
【図３】
2016129567.tif 000005